(57)【要約】【課題】ＤＶＤ等の映像コンテンツの個別シーンの検索に有用な情報を集約・利用することができる新しい枠組みを提供する。【解決手段】ＤＶＤ再生装置を備えた端末へのプログラム提供サーバと、映像コンテンツメタデータを管理するＤＢサーバとを備える。前記プログラムは、端末を、映像コンテンツを再生表示中、表示装置に個別シーンに関するメタデータ入力ウインドウを表示する手段、映像コンテンツの個別シーンのシーン特定情報を取得する手段、個別シーンについてウインドウを介してユーザが入力したメタデータと、該個別シーンについて取得したシーン特定情報とのセットを、ＤＢサーバに送信する手段として機能させる。ＤＢサーバは、端末から、メタデータとシーン特定情報とのセットを受信する手段と、受信したセットに含まれるメタデータとシーン特定情報とを対応づけて管理する管理手段とを備える。【選択図】図５
2007288279.tif 000002
【特許請求の範囲】
【請求項１】
ＤＶＤ等のメディアの再生装置を備えた端末にプログラムを提供するサーバと、映像コンテンツメタデータを管理するデータベースサーバとを備えた情報処理システムであって、
前記プログラムは、前記端末を、
前記再生装置を用いて前記メディアに記録される映像コンテンツを再生表示中、表示装置に該映像コンテンツの個別シーンに関するメタデータを入力するためのメタデータ入力インタフェース画面を表示する手段、
前記再生装置を介して、前記映像コンテンツの個別シーンについてのシーン特定情報を取得する取得手段、
前記映像コンテンツの所定の個別シーンについて前記メタデータ入力インタフェース画面を介してユーザが入力したメタデータと、前記所定の個別シーンについて前記取得手段が取得した前記シーン特定情報とのセットを、前記データベースサーバに送信する手段として機能させ、
前記データベースサーバは、
前記端末から、メタデータとシーン特定情報とのセットを受信する手段と、
前記受信したセットに含まれるメタデータとシーン特定情報とを対応づけて管理する管理手段と、を備えることを特徴とする情報処理システム。
【請求項２】
前記プログラムは、前記端末を、
表示装置に前記映像コンテンツの個別シーンを検索するための検索キー入力インタフェース画面を表示する手段、
前記検索キー入力インタフェース画面を介してユーザが入力した検索キーを、前記データベースサーバに送信する検索キー送信手段、
前記データベースサーバから、前記検索キーの送信に応じてシーン特定情報を受信する手段、
前記受信したシーン特定情報に基づき前記映像コンテンツの個別シーンを特定し、前記再生装置にて前記特定した個別シーンが再生されるように制御する再生制御手段として機能させ、
前記データベースサーバは、
前記端末から検索キーを受信する手段と、
当該データベースサーバにて管理するメタデータを対象として、前記受信した検索キーに整合するメタデータを検索する検索手段と、
前記検索の結果、前記受信した検索キーに整合するメタデータを発見した場合、該発見したメタデータに対応づけられるシーン特定情報を抽出する抽出手段と、
前記抽出したシーン特定情報を前記端末に送信する手段と、を備えることを特徴とする請求項１記載の情報処理システム。
【請求項３】
前記抽出手段は、同一メタデータが、時間的に連続する一連の個別シーンのシーン特定情報に対応づけられている場合、前記一連の個別シーンのうち所定の個別シーンのシーン特定情報を抽出することを特徴とする請求項２記載の情報処理システム。
【請求項４】
前記プログラムは、前記端末を、
前記再生制御手段の制御のもと前記再生装置にて再生される前記特定した個別シーンについて、表示装置に、前記入力した検索キーとの整合の適否を入力するための適否入力インタフェース画面を表示する手段、
前記適否入力インタフェース画面を介してユーザが入力した整合の適否を、前記データベースサーバに送信する手段として機能させ、
前記データベースサーバは、
前記端末から前記整合の適否を受信する手段と、
前記受信した整合の適否に基づき、当該データベースサーバにて管理するメタデータを修正する手段と、を備えることを特徴とする請求項２又は３記載の情報処理システム。
【請求項５】
前記データベースサーバは、
ユーザのプロファイル情報を記憶する手段を備えており、
前記抽出手段は、前記発見したメタデータに対応づけられるシーン特定情報のうち、前記端末のユーザのプロファイル情報に整合する映像コンテンツに対応するシーン特定情報を抽出することを特徴とする請求項２乃至４のいずれか１項に記載の情報処理システム。
【請求項６】
前記プログラムは、前記端末を、
前記検索キーを送信する場合に前記再生装置にセットされているメディアに記録されている映像コンテンツの識別情報を前記データベースサーバに送信する手段として機能させ、
前記データベースサーバは、
映像コンテンツの識別情報を受信する手段を備え、
前記抽出手段は、前記発見したメタデータに対応づけられるシーン特定情報のうち、前記受信した識別情報により特定される映像コンテンツに対応するシーン特定情報を抽出することを特徴とする請求項２乃至５のいずれか１項に記載の情報処理システム。
【請求項７】
前記プログラムは、前記端末を、
表示装置に、パーソナルシーンリストに登録する個別シーンを選択するためのシーン選択インタフェース画面を表示する手段、
前記シーン選択インタフェース画面を介してユーザが選択した個別シーンについて前記取得手段が取得した前記シーン特定情報を、パーソナルシーンリストへの登録要求とともに前記データベースサーバに送信する手段、
表示装置に、所定ユーザのパーソナルシーンリストを選択するためのリスト選択インタフェース画面を表示する手段、
前記リスト選択インタフェース画面を介してユーザが選択したパーソナルシーンリストを識別する情報を、前記データベースサーバに送信する手段、
前記データベースサーバから、前記識別情報の送信に応じて前記選択したパーソナルシーンリストの情報を受信する手段、
前記受信したパーソナルシーンリストに登録される個別シーンを特定し、前記再生装置にて前記特定した個別シーンが再生されるように制御する手段として機能させ、
前記データベースサーバは、
前記端末から、パーソナルシーンリストへの登録要求とともにシーン特定情報を受信する手段と、
前記端末のユーザに対応するパーソナルシーンリストに、前記受信したシーン特定情報を登録する手段と、
前記端末から、パーソナルシーンリストの識別情報を受信する手段と、
前記受信した識別情報に対応するパーソナルリストの情報を抽出し、前記端末に送信する手段と、を備えることを特徴とする請求項１乃至６のいずれか１項に記載の情報処理システム。
【請求項８】
前記プログラムは、前記端末を、
前記映像コンテンツの個別シーンについて前記取得手段が取得した前記シーン特定情報を、前記データベースサーバに送信する手段、
前記データベースサーバから、前記映像コンテンツの個別シーンに関するメタデータを受信する手段、
前記再生装置にて前記映像コンテンツを再生表示中、表示装置に、再生する個別シーンに対応する前記受信したメタデータを表示する手段として機能させ、
前記データベースサーバは、
前記端末からシーン特定情報を受信する手段と、
当該データベースサーバにて管理するメタデータを対象として、前記受信したシーン特定情報に対応づけられるメタデータを抽出する抽出手段と、
前記抽出したメタデータを前記端末に送信する手段と、を備えることを特徴とする請求項１乃至７のいずれか１項に記載の情報処理システム。
【請求項９】
前記プログラムは、前記端末を、
映像コンテンツの視聴履歴、メタデータの登録履歴、検索キーの入力履歴、前記再生装置の操作履歴の少なくともいずれかのユーザ履歴情報を、前記データベースサーバに送信する手段として機能させ、
前記データベースサーバは、
前記端末から、ユーザ履歴情報を受信する手段と、
前記受信したユーザ履歴情報を、前記端末のユーザ（ログインユーザ）に対応づけて記憶する履歴記憶手段と、を備えることを特徴とする請求項１乃至８のいずれか１項に記載の情報処理システム。
【請求項１０】
前記ユーザ履歴情報が映像コンテンツの視聴履歴を含む場合、
前記データベースサーバは、
前記履歴記憶手段を参照し、視聴回数の多少に基づきランキング情報を作成し、前記端末に送信する手段と、を備え、
前記プログラムは、前記端末を、
前記データベースサーバから前記ランキング情報を受信し、表示装置に表示する手段として機能させることを特徴とする請求項９記載の情報処理システム。
【請求項１１】
前記メタデータが個別シーンに対応する字幕データ、アテレコデータ、アフレコデータのいずれかを含むことを特徴とする請求項１乃至１０のいずれか１項に記載の情報処理システム。
【請求項１２】
前記シーン特定情報が、メディアを識別する情報、映像コンテンツタイトルを識別する情報、チャプター番号、タイムコードのうち少なくともいずれかを含んで構成されることを特徴とする請求項１乃至１１のいずれか１項に記載の情報処理システム。
【請求項１３】
ＤＶＤ等のメディアの再生装置を備えた端末において、前記再生装置を用いて前記メディアに記録される映像コンテンツを再生表示中、表示装置に該映像コンテンツの個別シーンに関するメタデータを入力するためのメタデータ入力インタフェース画面を表示する工程と、
前記端末において、前記再生装置を介して、前記映像コンテンツの個別シーンについてのシーン特定情報を取得する工程と、
前記端末において、前記映像コンテンツの所定の個別シーンについて前記メタデータ入力インタフェース画面を介してユーザが入力したメタデータと、前記所定の個別シーンについて前記取得手段が取得した前記シーン特定情報とのセットを、映像コンテンツメタデータを管理するデータベースサーバに送信する工程と、
前記データベースサーバにおいて、前記端末から、メタデータとシーン特定情報とのセットを受信する工程と、
前記データベースサーバにおいて、前記受信したセットに含まれるメタデータとシーン特定情報とを対応づけて記憶し、管理する工程と、を備えることを特徴とする情報処理方法。
【請求項１４】
ＤＶＤ等のメディアの再生装置を備えた端末を、
前記再生装置にて前記メディアに記録される映像コンテンツを再生表示中、表示装置に該映像コンテンツの個別シーンに関するメタデータを入力するためのメタデータ入力インタフェース画面を表示する手段、
前記再生装置を介して、前記映像コンテンツの個別シーンについてのシーン特定情報を取得する取得手段、
前記映像コンテンツの所定の個別シーンについて前記メタデータ入力インタフェース画面を介してユーザが入力したメタデータと、前記所定の個別シーンについて前記取得手段が取得した前記シーン特定情報とのセットを、映像コンテンツメタデータを管理するデータベースサーバに送信する手段、として機能させる情報処理プログラム。
【発明の詳細な説明】
【技術分野】
【０００１】
本発明は、ＤＶＤ等の映像コンテンツのための情報処理技術に関する。
【背景技術】
【０００２】
近年、ＤＶＤ等の大量のデータを格納できるメディアを利用して、様々な映像コンテンツの提供がなされている。最近では、ブルーレイディスク（ＢＤ）、ＨＤＤＶＤといった次世代ＤＶＤについても再生装置などが製品化されつつある。
【発明の開示】
【発明が解決しようとする課題】
【０００３】
一般ユーザは、ＤＶＤ等を購入したりレンタルする際、雑誌やショッピングサイト、専門サイトなどのレビュー情報を参考にして、その映像コンテンツが自己の趣味に沿うものかどうかを検討する場合が多い。
【０００４】
しかし、これらのレビュー情報は、通常、ＤＶＤ等に記録される映像コンテンツ全体に関するものであって、映像コンテンツの個別シーンごとに細かくレビューしたものではないため、ＤＶＤ等の再生時に個別シーンを検索するという目的のためには有用な情報とならなかった。
【０００５】
そこで、本発明は、ＤＶＤ等の映像コンテンツの個別シーンの検索に有用な情報をデータベースとして集約・利用することができる新しい枠組みを提供することを目的とする。
【課題を解決するための手段】
【０００６】
本発明の情報処理システムは、ＤＶＤ等のメディアの再生装置を備えた端末にプログラムを提供するサーバと、映像コンテンツメタデータを管理するデータベースサーバとを備えた情報処理システムであって、前記プログラムは、前記端末を、前記再生装置を用いて前記メディアに記録される映像コンテンツを再生表示中、表示装置に該映像コンテンツの個別シーンに関するメタデータを入力するためのメタデータ入力インタフェース画面を表示する手段、前記再生装置を介して、前記映像コンテンツの個別シーンについてのシーン特定情報を取得する取得手段、前記映像コンテンツの所定の個別シーンについて前記メタデータ入力インタフェース画面を介してユーザが入力したメタデータと、前記所定の個別シーンについて前記取得手段が取得した前記シーン特定情報とのセットを、前記データベースサーバに送信する手段として機能させ、前記データベースサーバは、前記端末から、メタデータとシーン特定情報とのセットを受信する手段と、前記受信したセットに含まれるメタデータとシーン特定情報とを対応づけて管理する管理手段と、を備えることを特徴とする。
【０００７】
好適には、前記プログラムは、前記端末を、表示装置に前記映像コンテンツの個別シーンを検索するための検索キー入力インタフェース画面を表示する手段、前記検索キー入力インタフェース画面を介してユーザが入力した検索キーを、前記データベースサーバに送信する検索キー送信手段、前記データベースサーバから、前記検索キーの送信に応じてシーン特定情報を受信する手段、前記受信したシーン特定情報に基づき前記映像コンテンツの個別シーンを特定し、前記再生装置にて前記特定した個別シーンが再生されるように制御する再生制御手段として機能させ、前記データベースサーバは、前記端末から検索キーを受信する手段と、当該データベースサーバにて管理するメタデータを対象として、前記受信した検索キーに整合するメタデータを検索する検索手段と、前記検索の結果、前記受信した検索キーに整合するメタデータを発見した場合、該発見したメタデータに対応づけられるシーン特定情報を抽出する抽出手段と、前記抽出したシーン特定情報を前記端末に送信する手段と、を備えることを特徴とする。
【０００８】
好適には、前記抽出手段は、同一メタデータが、時間的に連続する一連の個別シーンのシーン特定情報に対応づけられている場合、前記一連の個別シーンのうち所定の個別シーンのシーン特定情報を抽出することを特徴とする。
【０００９】
好適には、前記プログラムは、前記端末を、前記再生制御手段の制御のもと前記再生装置にて再生される前記特定した個別シーンについて、表示装置に、前記入力した検索キーとの整合の適否を入力するための適否入力インタフェース画面を表示する手段、前記適否入力インタフェース画面を介してユーザが入力した整合の適否を、前記データベースサーバに送信する手段として機能させ、前記データベースサーバは、前記端末から前記整合の適否を受信する手段と、前記受信した整合の適否に基づき、当該データベースサーバにて管理するメタデータを修正する手段と、を備えることを特徴とする。
【００１０】
好適には、前記データベースサーバは、ユーザのプロファイル情報を記憶する手段を備えており、前記抽出手段は、前記発見したメタデータに対応づけられるシーン特定情報のうち、前記端末のユーザのプロファイル情報に整合する映像コンテンツに対応するシーン特定情報を抽出することを特徴とする。
【００１１】
好適には、前記プログラムは、前記端末を、前記検索キーを送信する場合に前記再生装置にセットされているメディアに記録されている映像コンテンツの識別情報を前記データベースサーバに送信する手段として機能させ、前記データベースサーバは、映像コンテンツの識別情報を受信する手段を備え、前記抽出手段は、前記発見したメタデータに対応づけられるシーン特定情報のうち、前記受信した識別情報により特定される映像コンテンツに対応するシーン特定情報を抽出することを特徴とする。
【００１２】
好適には、前記プログラムは、前記端末を、表示装置に、パーソナルシーンリストに登録する個別シーンを選択するためのシーン選択インタフェース画面を表示する手段、前記シーン選択インタフェース画面を介してユーザが選択した個別シーンについて前記取得手段が取得した前記シーン特定情報を、パーソナルシーンリストへの登録要求とともに前記データベースサーバに送信する手段、表示装置に、所定ユーザのパーソナルシーンリストを選択するためのリスト選択インタフェース画面を表示する手段、前記リスト選択インタフェース画面を介してユーザが選択したパーソナルシーンリストを識別する情報を、前記データベースサーバに送信する手段、前記データベースサーバから、前記識別情報の送信に応じて前記選択したパーソナルシーンリストの情報を受信する手段、前記受信したパーソナルシーンリストに登録される個別シーンを特定し、前記再生装置にて前記特定した個別シーンが再生されるように制御する手段として機能させ、前記データベースサーバは、前記端末から、パーソナルシーンリストへの登録要求とともにシーン特定情報を受信する手段と、前記端末のユーザに対応するパーソナルシーンリストに、前記受信したシーン特定情報を登録する手段と、前記端末から、パーソナルシーンリストの識別情報を受信する手段と、前記受信した識別情報に対応するパーソナルリストの情報を抽出し、前記端末に送信する手段と、を備えることを特徴とする。
【００１３】
好適には、前記プログラムは、前記端末を、前記映像コンテンツの個別シーンについて前記取得手段が取得した前記シーン特定情報を、前記データベースサーバに送信する手段、前記データベースサーバから、前記映像コンテンツの個別シーンに関するメタデータを受信する手段、前記再生装置にて前記映像コンテンツを再生表示中、表示装置に、再生する個別シーンに対応する前記受信したメタデータを表示する手段として機能させ、前記データベースサーバは、前記端末からシーン特定情報を受信する手段と、当該データベースサーバにて管理するメタデータを対象として、前記受信したシーン特定情報に対応づけられるメタデータを抽出する抽出手段と、前記抽出したメタデータを前記端末に送信する手段と、を備えることを特徴とする。
【００１４】
好適には、前記プログラムは、前記端末を、映像コンテンツの視聴履歴、メタデータの登録履歴、検索キーの入力履歴、前記再生装置の操作履歴の少なくともいずれかのユーザ履歴情報を、前記データベースサーバに送信する手段として機能させ、前記データベースサーバは、前記端末から、ユーザ履歴情報を受信する手段と、前記受信したユーザ履歴情報を、前記端末のユーザ（ログインユーザ）に対応づけて記憶する履歴記憶手段と、を備えることを特徴とする。
【００１５】
好適には、前記ユーザ履歴情報が映像コンテンツの視聴履歴を含む場合、前記データベースサーバは、前記履歴記憶手段を参照し、視聴回数の多少に基づきランキング情報を作成し、前記端末に送信する手段と、を備え、前記プログラムは、前記端末を、前記データベースサーバから前記ランキング情報を受信し、表示装置に表示する手段として機能させることを特徴とする。
【００１６】
好適には、前記メタデータが個別シーンに対応する字幕データ、アテレコデータ、アフレコデータのいずれかを含むことを特徴とする。
【００１７】
好適には、前記シーン特定情報が、メディアを識別する情報、映像コンテンツタイトルを識別する情報、チャプター番号、タイムコードのうち少なくともいずれかを含んで構成されることを特徴とする。
【００１８】
本発明の情報処理方法は、ＤＶＤ等のメディアの再生装置を備えた端末において、前記再生装置を用いて前記メディアに記録される映像コンテンツを再生表示中、表示装置に該映像コンテンツの個別シーンに関するメタデータを入力するためのメタデータ入力インタフェース画面を表示する工程と、前記端末において、前記再生装置を介して、前記映像コンテンツの個別シーンについてのシーン特定情報を取得する工程と、前記端末において、前記映像コンテンツの所定の個別シーンについて前記メタデータ入力インタフェース画面を介してユーザが入力したメタデータと、前記所定の個別シーンについて前記取得手段が取得した前記シーン特定情報とのセットを、映像コンテンツメタデータを管理するデータベースサーバに送信する工程と、前記データベースサーバにおいて、前記端末から、メタデータとシーン特定情報とのセットを受信する工程と、前記データベースサーバにおいて、前記受信したセットに含まれるメタデータとシーン特定情報とを対応づけて記憶し、管理する工程と、を備えることを特徴とする。
【００１９】
本発明のプログラムは、ＤＶＤ等のメディアの再生装置を備えた端末を、前記再生装置にて前記メディアに記録される映像コンテンツを再生表示中、表示装置に該映像コンテンツの個別シーンに関するメタデータを入力するためのメタデータ入力インタフェース画面を表示する手段、前記再生装置を介して、前記映像コンテンツの個別シーンについてのシーン特定情報を取得する取得手段、前記映像コンテンツの所定の個別シーンについて前記メタデータ入力インタフェース画面を介してユーザが入力したメタデータと、前記所定の個別シーンについて前記取得手段が取得した前記シーン特定情報とのセットを、映像コンテンツメタデータを管理するデータベースサーバに送信する手段、として機能させることを特徴とする。
【００２０】
本発明のプログラムは、ＣＤ−ＲＯＭ、磁気ディスク、半導体メモリなどの各種の記録媒体を通じて、又は通信ネットワークを介してダウンロードすることにより、コンピュータにインストールまたはロードすることができる。
【００２１】
なお、本明細書において、手段とは、単に物理的手段を意味するものではなく、その手段が有する機能をソフトウェアによって実現する場合も含む。また、１つの手段が有する機能が２つ以上の物理的手段により実現されても、２つ以上の手段の機能が１つの物理的手段により実現されても良い。
【発明の効果】
【００２２】
本発明によれば、ＤＶＤ等の映像コンテンツの個別シーンの検索に有用な情報をデータベースとして集約・利用することができる新しい枠組みを提供することができる。
【発明を実施するための最良の形態】
【００２３】
（第１実施形態）
以下に本発明の実施の形態について図面を用いて説明する。
【００２４】
図１は、本発明の実施形態である情報処理システム１の概略構成を示すブロックダイアグラムである。図に示すように、情報処理システム１は、ＤＶＤ等のメディアの再生装置を備えたユーザ端末装置２と、ユーザ端末装置２に映像コンテンツメタデータに関するプログラムを提供するサーバ機能、及び映像コンテンツメタデータを管理するデータベースサーバ機能を備えるメタデータ管理サーバ３とを備えている。
【００２５】
ユーザ端末装置２、メタデータ管理サーバ３は、所定の通信ネットワークＮ（ＬＡＮ、インターネット、専用線、パケット通信網、それらの組み合わせ等のいずれであってもよく、有線、無線の両方を含む）を介して相互に通信可能に構成されている。図１では、ユーザ端末装置２、メタデータ管理サーバ３について、それぞれ１台ずつを記載しているが、設計に応じてそれぞれが１台以上となるように情報処理システム１を構成してもよい。
【００２６】
このようなネットワークＮを介して通信を行う情報処理システム１は、従来のＷｅｂアプリケーションサーバシステムの技術を用いて構成することができる。すなわち、メタデータ管理サーバ３は、Ｗｅｂサーバ、ＡＰ（アプリケーション）サーバ、データベースサーバとして機能し、クライアントとして機能するユーザ端末装置２から例えばＨＴＴＰプロトコルに従い送信される所定の要求を受け付けると、この所定の要求に応じた処理を行い、その処理結果をユーザ端末装置２に送信する。また、ユーザ端末装置２は、Ｗｅｂブラウザを実装しており、ユーザの操作に従って所定の要求をメタデータ管理サーバ３に対して送信するとともに、その要求に応じた結果（例えば、Ｗｅｂページ情報など）を受信するとこれを表示等する。
【００２７】
図２（ａ）は、ユーザ端末装置２のハードウェア構成を示すブロック図である。図２（ａ）に示すように、ユーザ端末装置２は、ＣＰＵ、ＲＯＭ、ＲＡＭ、ＨＤＤ、ＤＶＤ等の記録媒体（メディア）の記録再生装置、ユーザインタフェース、ディスプレイ、および通信インタフェース等のハードウェアを備える汎用のコンピュータにより構成することができる。本発明では、ＣＤ、ＤＶＤ、ブルーレイディスク（ＢＤ）、ＨＤＤＶＤなど、映像コンテンツを記録した種々の記録媒体を対象とすることができるが、以下の実施形態では、ＤＶＤを対象とし、ユーザ端末装置２がＤＶＤ記録再生装置２０を備える構成を例に説明する。
【００２８】
図２（ｂ）は、ユーザ端末装置２の機能構成を示すブロック図である。図２（ｂ）に示すように、ユーザ端末装置２は、通信手段２１、制御手段２２等の機能手段を含んでいる。
【００２９】
通信手段２１は、通信ネットワークＮを介してメタデータ管理サーバ３、その他のネットワークに接続された装置に対して、情報を入出力可能に構成されており、例えばＰＰＰドライバ、ＴＣＰ／ＩＰドライバ等の通信モジュールを備えている。
【００３０】
制御手段２２は、ＤＶＤ記録再生装置２０を含むユーザ端末装置２全体の動作を制御するとともに、ＲＡＭ、ＨＤＤ等に記憶したプログラムに基づき、Ｗｅｂブラウザ２３、映像コンテンツ再生／メタデータハンドルユニット２４（以下、「再生ユニット２４」という）として機能する。
【００３１】
再生ユニット２４のためのプログラムは、後述するように、Ｗｅｂブラウザ２３によって、メタデータ管理サーバ３内の所定サイトにアクセスしてＷｅｂページ情報を取得する際に、該Ｗｅｂページ情報に埋め込まれた状態で取得される。図２（ｂ）では、Ｗｅｂブラウザ２３、再生ユニット２４を別ブロックとして記載しているが、再生ユニット２４のためのプログラムがブラウザによって解釈・実行されるプログラムである場合、再生ユニット２４はＷｅｂブラウザ２３上の一機能として実現されることになる。
【００３２】
ここで、メタデータとは、映像コンテンツについての情報を記述したデータであり、本実施形態では特に、映像コンテンツの個別シーンに関連づけられたデータを指すものとする。このようなメタデータとしては、個別シーンに関するレビュー、紹介、解説などのデータのほか、字幕データ、アテレコデータ、アフレコデータなども含まれる。
【００３３】
また、個別シーンとは、原則として、ＤＶＤを識別するディスクＩＤ、映像コンテンツタイトルを識別するタイトル番号、チャプター番号、タイムコードのうち少なくともいずれかによって、又はこれらを組み合わせて特定されるシーンを指すものとする。個別シーンを構成する期間は特に制限されないが、チャプターより細かい期間で個別シーンを検索できるようにするためには、ディスクＩＤ、タイトル番号、チャプター番号、タイムコードの組み合わせから個別シーンを特定するシーン特定情報を構成する必要がある。
【００３４】
再生ユニット２４は、具体的には、ＤＶＤ記録再生装置２０を利用したＤＶＤ再生表示インタフェース機能、映像コンテンツのメタデータの登録・表示するためのインタフェース機能、映像コンテンツの個別シーンを検索するためのインタフェース機能、パーソナルシーンリストのためのインタフェース機能などを提供する。図２（ｂ）では、再生ユニット２４において実現される上記の各機能をそれぞれ機能手段としてとらえて図示している。なお、再生ユニット２４は、上記機能以外にも、従来のＤＶＤ再生ソフトウェアが備えているような種々の機能を提供する。
【００３５】
図３（ａ）は、メタデータ管理サーバ３のハードウェア構成を示すブロック図である。図３（ａ）に示すように、メタデータ管理サーバ３は、ＣＰＵ、ＲＯＭ、ＲＡＭ、ＨＤＤ、ユーザインタフェース、ディスプレイ、および通信インタフェース等のハードウェアを備える汎用のコンピュータにより構成することができる。
【００３６】
図３（ｂ）は、メタデータ管理サーバ３の機能構成を示すブロック図である。図３（ｂ）に示すように、メタデータ管理サーバ３は、再生ユニットプログラム記憶手段３０、メタデータ記憶手段３１、ユーザ情報記憶手段３２、通信手段３３、制御手段３４等の機能手段を含んでいる。
【００３７】
再生ユニットプログラム記憶手段３０は、再生ユニット２４のためのプログラムをＷｅｂページ情報の一部として記憶している。
【００３８】
メタデータ記憶手段３１は、シーン特定情報に対応づけてメタデータを記憶している（図４（ａ）参照）。また、ユーザ情報記憶手段３２は、本情報処理システム１を利用するユーザに対応づけて、該ユーザのパーソナルシーンリスト、ユーザ履歴情報、プロファイル情報などを記憶している（図４（ｂ）参照）。
【００３９】
パーソナルシーンリストは、ユーザが登録した個別シーンに関するいわゆるプレイリストに相当し、個別シーンのシーン特定情報の例えば管理番号リストとして構成される。ユーザ履歴情報は、映像コンテンツの視聴履歴、メタデータの登録履歴、検索キーの入力履歴、ＤＶＤ再生装置の操作履歴の少なくともいずれか、又はこれらの組み合わせを含むことができる。プロファイル情報は、例えばユーザの性別、住所、職業、趣味・嗜好などを含むことができる。プロファイル情報は、ユーザが自ら、例えば質問に回答する態様で、登録できるように構成してもよく、ユーザ履歴情報などに基づいて自動的に趣味・嗜好を登録するように構成してもよい。
【００４０】
なお、図４に示すようなデータ構造は、例えばリレーショナルデーターベース等の従来のデータベース技術を用いて構成することができる。
【００４１】
通信手段３３は、通信ネットワークＮを介してユーザ端末装置２等に対して、情報を入出力可能に構成されており、例えばＰＰＰドライバ、ＴＣＰ／ＩＰドライバ等の通信モジュールを備えている。
【００４２】
制御手段３４は、メタデータ管理サーバ３全体の動作を制御するとともに、映像コンテンツメタデータの登録管理機能、映像コンテンツ個別シーンの検索機能、パーソナルシーンリストの登録管理機能などを提供する。図３（ｂ）では、制御手段３４において実現される上記機能を機能手段としてとらえて図示している。なお、制御手段３４は、上記機能以外にも、例えばユーザ登録機能など、種々の機能を提供する。
【００４３】
以下、図５〜図８に示すフローチャートに基づいて、情報処理システム１において実現される新しい枠組みについて説明する。なお、各工程（符号が付与されていない部分的な工程を含む）は処理内容に矛盾を生じない範囲で任意に順番を変更して又は並列に実行することができる。
【００４４】
Ｗｅｂブラウザ２３が、ユーザからの入力に基づき、メタデータ管理サーバ３に通信ネットワークＮを介してアクセスすると（Ｓ１００）、メタデータ管理サーバ３は、再生ユニットプログラム記憶手段３０を参照して、再生ユニット２４のためのプログラムが埋め込まれたＷｅｂページ情報を読み出し、Ｗｅｂブラウザ２３に返信する（Ｓ１０１）。
【００４５】
Ｗｅｂブラウザ２３は、メタデータ管理サーバ３から上記のＷｅｂページ情報を受信すると、Ｗｅｂページ情報に埋め込まれた前記プログラムを解釈・実行し、再生ユニット２４を立ち上げる（Ｓ１０２）。
【００４６】
再生ユニット２４は、立ち上がると、ディスプレイにメニューウインドウを表示し、ユーザからの入力を待機する（Ｓ１０３）。メニューウインドウは、例えば、ＤＶＤ再生、メタデータ登録、メタデータ表示、個別シーン検索、パーソナルシーンリスト登録／表示などの指示を入力できるように構成される。
【００４７】
（ＤＶＤ再生表示機能、メタデータ登録／表示機能）
ユーザからのＤＶＤ再生の指示を受け付けた場合、再生ユニット２４は、ディスプレイに、コンテンツ表示ウインドウ１００、映像コンテンツ個別シーンに関するメタデータを入力するためのメタデータ入力ウインドウ１０１、映像コンテンツ個別シーンに関するメタデータを表示するためのメタデータ表示ウインドウ１０２を含むインタフェース画面を表示する（Ｓ２００）（図９（ａ）参照）。
【００４８】
次に、再生ユニット２４は、ＤＶＤ記録再生装置２０に対してセットされたＤＶＤを再生するように通知し（Ｓ２０１）、ＤＶＤ記録再生装置２０から映像コンテンツの再生データを受け取って、コンテンツ表示ウインドウ１００にて再生表示する（Ｓ２０２）。
【００４９】
なお、図示はしないが、映像コンテンツの再生表示中、ユーザからの停止・早送り・一時停止・巻き戻し・シーン特定情報を利用したジャンプなど種々の再生操作指示を受け付けた場合、再生ユニット２４は、当該指示をＤＶＤ記録再生装置２０に通知する。
【００５０】
次に、再生ユニット２４は、映像コンテンツの再生表示中、ＤＶＤ記録再生装置２０を介して、コンテンツ表示ウインドウ１００に再生表示される個別シーンのシーン特定情報を取得する（Ｓ２０３）。
【００５１】
そして、映像コンテンツの再生表示中、ユーザが所定の個別シーンについてメタデータ入力ウインドウ１０１を介してメタデータを入力し、その登録を指示した場合（例えば、登録ボタンをクリックした場合）（Ｓ２０４：メタデータ登録）、再生ユニット２４は、入力されたメタデータと、前記所定の個別シーンについてＳ２０３において取得したシーン特定情報とのセットを、メタデータ管理サーバ３に送信する（Ｓ２０５）。
【００５２】
メタデータ管理サーバ３は、再生ユニット２４からメタデータとシーン特定情報とのセットを受信すると、かかる受信したセットに含まれるメタデータとシーン特定情報とを対応づけて、メタデータ記憶手段３１に登録する（Ｓ２０６）。
【００５３】
かかる構成によれば、ユーザは映像コンテンツを再生表示させながら、随時、映像コンテンツの個別シーンについてメタデータを入力することができる。また、その入力されたメタデータを、対応する個別シーンのシーン特定情報と自動的に対応づけて、メタデータ管理サーバ３にて集約的に管理することができる。
【００５４】
一方、映像コンテンツの再生表示中、ユーザからメタデータの表示指示を受け付けた場合（Ｓ２０４：メタデータ表示）、再生ユニット２４は、Ｓ２０３において取得したシーン特定情報をメタデータ管理サーバ３に送信する（Ｓ２０７）。
【００５５】
メタデータ管理サーバ３は、再生ユニット２４からシーン特定情報を受信すると、メタデータ記憶手段３１を参照し、受信したシーン特定情報に対応するメタデータを読み出す（Ｓ２０８）。
【００５６】
そして、メタデータ管理サーバ３は、前記読み出したメタデータをユーザ端末装置２に送信する（Ｓ２０９。
【００５７】
再生ユニット２４は、Ｗｅｂブラウザ２３を介して、Ｓ２０７のシーン特定情報の送信に応じてメタデータを受信すると、これをメタデータ表示ウインドウ１０２に表示する（Ｓ２１０）。この際、受信したメタデータのボリュームに応じて、表示するメタデータの数や時間を調整するように構成してもよい。
【００５８】
かかる構成によれば、ユーザは映像コンテンツを再生表示中、映像コンテンツの個別シーンについてメタデータ管理サーバ３に集約されたメタデータを閲覧することができる。
【００５９】
なお、メタデータをより多く集約するためには、より多くのユーザに利用してもらうことが望ましいため、メタデータの登録・表示機能等については、特定の会員等に限定せずに不特定のユーザに提供するものとする。
【００６０】
（個別シーン検索機能）
ユーザからの個別シーン検索の指示を受け付けた場合、再生ユニット２４は、ディスプレイに、コンテンツ表示ウインドウ１００と、映像コンテンツの個別シーンを検索するための検索キー入力ウインドウ１０３と、シーン特定情報を表示するためウインドウ１０４とを含むインタフェース画面を表示する（Ｓ３００）（図９（ｂ）参照）。
【００６１】
そして、検索キー入力ウインドウ１０３を介してユーザが検索キーを入力して、その検索を指示した場合（例えば、検索ボタンをクリックした場合）（Ｓ３０１：検索キー入力）、再生ユニット２４は、入力された検索キーをメタデータ管理サーバ３に送信する（Ｓ３０２）。
【００６２】
メタデータ管理サーバ３は、再生ユニット２４から検索キーを受信すると、メタデータ記憶手段３１に記憶されるメタデータを対象として、受信した検索キーに整合するメタデータを検索する（Ｓ３０３）。整合の是非は、例えばメタデータが検索キーと一致する場合又は検索キーを含む場合に整合すると判断することが考えられる。
【００６３】
メタデータ管理サーバ３は、かかる検索の結果、受信した検索キーに整合するメタデータを発見した場合、メタデータ記憶手段３１を参照して該発見したメタデータに対応づけられるシーン特定情報を抽出する（Ｓ３０４）。
【００６４】
このとき、同一のメタデータが、時間的に連続する一連の個別シーンのシーン特定情報に対応づけられている場合は、前記一連の個別シーンのうち所定の個別シーン（例えば、時間的に先頭の個別シーン）のシーン特定情報を抽出する。これにより、同一のメタデータに対応づけられる連続する一連の個別シーンをひとまとめのシーンとして検索することができ、より整理された把握しやすい検索結果を得ることができる。
【００６５】
また、シーン特定情報の抽出にあたり、種々の限定を加えて抽出するように構成してもよい。例えば、ユーザ端末装置２のユーザがログイン処理等によって特定できている場合であれば、メタデータ管理サーバ３は、ユーザ情報記憶手段３２を参照して、ユーザ端末装置２のユーザ（ログインユーザ）のプロファイル情報等を読み出し、前記発見したメタデータに対応づけられるシーン特定情報のうち、前記読み出したログインユーザのプロファイル情報に整合する個別シーンのシーン特定情報を抽出する。例えば、ユーザＡのプロファイル情報として、好きな映画ジャンルを示す項目にアクション映画のジャンルＩＤが登録されている場合、前記発見したメタデータに対応づけられるシーン特定情報のうち、アクション映画としてジャンル登録されている映像コンテンツに対応するシーン特定情報（映像コンテンツに含まれる個別シーンのシーン特定情報）を抽出する。
【００６６】
また例えば、ＤＶＤ記録再生装置２０にセットされているＤＶＤ内の映像コンテンツに含まれる個別シーンに限定してシーン特定情報を抽出するように構成してもよい。この場合、再生ユニット２４は、ＤＶＤ記録再生装置２０を介してセットされているＤＶＤに記録されている映像コンテンツの識別情報を取得し、Ｓ３０２において検索キーとともに該識別情報をメタデータ管理サーバ３に送信する。メタデータ管理サーバ３は、検索キーとともに前記識別情報を受信した場合、前記発見したメタデータに対応づけられるシーン特定情報のうち、受信した識別情報により特定される映像コンテンツに対応するシーン特定情報を抽出する。
【００６７】
また例えば、ＤＶＤ記録再生装置２０に所定のＤＶＤがセットされている場合に限り、該所定のＤＶＤ内の映像コンテンツに含まれる個別シーンのシーン特定情報を抽出するように構成してもよい。具体的には、メタデータ管理サーバ３は、前記識別情報を受信した場合に限り、前記識別情報により特定される映像コンテンツに対応するシーン特定情報を抽出する。かかる構成の場合、個々のユーザがオリジナルの映像コンテンツをＤＶＤに記録してプライベートディスクを作成し、該映像コンテンツについて識別情報をメタデータ管理サーバ３等に登録しておくことで、このプライベートディスク又はその複製ディスクがセットされているユーザ端末装置からのみ、該映像コンテンツの個別シーンの検索が可能となる（換言すれば、該映像コンテンツのメタデータを共有できる）。これにより、ユーザは個人的なディスクについてメタデータの登録等を行った場合でもそのメタデータの利用者を限定して本システム１を利用することが可能となる。
【００６８】
このようにして抽出したシーン特定情報を、メタデータ管理サーバ３はユーザ端末装置２に送信する（Ｓ３０５）。
【００６９】
再生ユニット２４は、Ｗｅｂブラウザ２３を介して、Ｓ３０２の検索キーの送信に応じてシーン特定情報を受信すると、かかる受信したシーン特定情報をシーン特定情報表示ウインドウ１０４に表示する（Ｓ３０６）。
【００７０】
また、該シーン特定情報に基づき映像コンテンツの個別シーンを特定し、該特定した個別シーンがＤＶＤ記録再生装置２０にセットされたＤＶＤに含まれている場合は、ＤＶＤ記録再生装置２０に対して前記特定した個別シーンを通知して、該個別シーンがコンテンツ表示ウインドウ１００において再生表示されるように制御する（Ｓ３０７）。
【００７１】
また、再生ユニット２４は、前記特定した個別シーンを再生表示する際、ディスプレイに、入力した検索キーとの整合の適否を入力するための適否入力ウインドウ１０５を含むインタフェース画面を表示する（Ｓ３０８）（図９（ｃ）参照）。なお、Ｓ３００において適否入力ウインドウ１０５を予め表示しておいてもよい。
【００７２】
例えば、検索キーとして「月」を入力して検索したにもかかわらず、コンテンツ表示ウインドウ１００に「サッカー」に係るシーンが表示された場合、検索キーと個別シーンとが整合していないと考えられる。このような場合、ユーザは、適否入力ウインドウ１０５に設けられた「誤」ボタンをクリックする。一方、検索キーとして「ワールドカップ」を入力して検索した結果、コンテンツ表示ウインドウ１００に「サッカー」に係るシーンが表示された場合、検索キーと個別シーンとが整合していることから、このような場合、ユーザは、適否入力ウインドウ１０５に設けられた「正」ボタンをクリックする。
【００７３】
ユーザが適否入力ウインドウ１０５に設けられた「正」ボタン又は「誤」ボタンをクリックした場合、再生ユニット２４は、ユーザがクリックしたボタンに対応する「正」又は「誤」のいずれかを示す整合適否情報を、前記受信したシーン特定情報及び前記入力した検索キーのセットに対応づけて、メタデータ管理サーバ３に送信する（Ｓ３０９）。
【００７４】
メタデータ管理サーバ３は、再生ユニット２４からシーン特定情報と検索キーのセットに対応づけられた整合適否情報を受信すると、かかる受信した整合適否情報に基づき、メタデータ記憶手段３１にて管理するメタデータを修正する（Ｓ３１０）。
【００７５】
メタデータの修正方法は、設計に応じて種々の態様を採用できるが、例えばシーン特定情報Ｘと検索キーＹのセットに関して例えば「誤」を示す適否情報の送信したユーザ数が一定数以上となった場合に、メタデータ記憶手段３１のシーン特定情報Ｘに対応して記憶されるメタデータから、検索キーＹに整合するものを削除するといった修正方法を考えることができる。
【００７６】
かかる構成によれば、ユーザは、メタデータ管理サーバ３に集約されるメタデータを利用して、メタデータと検索キーとの整合性により容易に個別シーンを検索し、表示させることができる。また、ユーザが個別シーンと検索キーの整合性を評価することで、個別シーンとメタデータとの対応関係を修正できるため、より精度の高い対応関係でメタデータを蓄積していくことができる。なお、本実施形態では、検索結果の個別シーンが再生表示されることが条件として、適否入力ウインドウ１０５が表示され、ユーザが整合適否情報を入力できるようになっている。これにより、再生表示されない（視認できない）個別シーンについて想像や記憶に基づいて整合適否情報が入力されてしまう状況を回避し、妥当な修正内容を確保することができる。
【００７７】
（パーソナルシーンリストの登録／呼出機能）
ユーザ端末装置２のユーザがログイン処理等によって特定できている場合において、コンテンツ表示ウインドウ１００にて映像コンテンツを再生表示中（ＤＶＤ再生表示中、個別シーン検索の結果を表示中のいずれであってもよい）、ユーザからのパーソナルシーンリストの登録／呼出の指示を受け付けた場合、再生ユニット２４は、パーソナルシーンリスト登録／呼出処理を実行する。
【００７８】
まず、再生ユニット２４は、ディスプレイに、パーソナルシーンリストに登録する個別シーンを選択するためシーン選択ウインドウ１０６と、呼び出したパーソナルシーンリストを表示するためのリスト表示ウインドウ１０７とを含むインタフェース画面を表示する（Ｓ４００）（図９（ｄ）参照）。
【００７９】
シーン選択ウインドウ１０６を介して、ユーザが個別シーンのパーソナルシーンリストへの登録を指示した場合（例えば、登録ボタンをクリックした場合）（Ｓ４０１：登録指示）、再生ユニット２４は、指示タイミングに基づき特定される個別シーンについてＳ１０５と同等の取得処理によって取得したシーン特定情報を、パーソナルシーンリスト登録コマンドとともに、メタデータ管理サーバ３に送信する（Ｓ４０２）。
【００８０】
メタデータ管理サーバ３は、再生ユニット２４からパーソナルシーンリスト登録コマンドとともにシーン特定情報を受信すると、ユーザ情報記憶手段３２を参照し、ユーザ端末装置２のユーザ（ログインユーザ）に対応するパーソナルシーンリストに前記受信したシーン特定情報の例えば管理番号を登録する（Ｓ４０３）。
【００８１】
一方、例えばシーン選択ウインドウ１０６を介して、ユーザがパーソナルシーンリストの呼出を指示した場合（例えば、リストボタンをクリックした場合）（Ｓ４０１：呼出指示）、再生ユニット２４は、パーソナルシーンリスト取得コマンドをメタデータ管理サーバ３に送信する（Ｓ４０４）。
【００８２】
メタデータ管理サーバ３は、再生ユニット２４からパーソナルシーンリスト取得コマンドを受信すると、ユーザ情報記憶手段３２を参照して、ユーザ端末装置２のユーザ（ログインユーザ）に対応するパーソナルシーンリストを読み出し、ユーザ端末装置２に送信する（Ｓ４０５）。
【００８３】
再生ユニット２４は、Ｗｅｂブラウザ２３を介して、パーソナルシーンリスト取得コマンドの送信に応じてパーソナルシーンリストを受信すると、かかる受信したパーソナルシーンリストをリスト表示ウインドウ１０７に表示する（Ｓ４０６）。
【００８４】
次に、再生ユニット２４は、ユーザがシーンリストをリスト表示ウインドウ１０７に表示された所定のシーン特定情報を選択して再生表示を指示した場合や、シーンリストに沿って順次の再生表示を指示した場合、リスト中の対応するシーン特定情報に基づき映像コンテンツの個別シーンを特定し、該特定した個別シーンがＤＶＤ記録再生装置２０にセットされたＤＶＤに含まれている場合は、ＤＶＤ記録再生装置２０に対して前記特定した個別シーンを通知して、該個別シーンがコンテンツ表示ウインドウ１００において再生表示されるように制御する（Ｓ４０７）。
【００８５】
なお、Ｓ４０４においてパーソナルシーンリスト取得コマンドを送信する際に、他のユーザを指定できるように構成してもよい。この場合、メタデータ管理サーバ３は、ユーザ情報記憶手段３２を参照して、前記指定された他のユーザに対応するパーソナルシーンリストを読み出し、ユーザ端末装置２に送信することになる。
【００８６】
かかる構成によれば、自己や他のユーザのパーソナルシーンリストを利用して、従前に登録した個別シーンの情報を容易に取得し、再生表示することができる。
【００８７】
（その他の機能）
再生ユニット２４は、所定のタイミングで、映像コンテンツの視聴履歴、メタデータの登録履歴、検索キーの入力履歴、ＤＶＤ記録再生装置２０の操作履歴の少なくともいずれか、又はこれらを組み合わせた情報を、ユーザ履歴情報としてメタデータ管理サーバ３（又は所定のサーバ）に送信する。送信タイミングとしては、例えばＤＶＤの再生を開始したタイミング、チャプターが変わったタイミングなどが考えられ、１分おきのように定期的に送信する構成としてもよい。視聴履歴は、例えば日時情報にシーン特定情報を対応づけて構成することができる。
【００８８】
メタデータ管理サーバ３（又は所定のサーバ）は、受信したユーザ履歴をユーザ端末装置２のユーザ（ログインユーザ）に対応づけてユーザ情報記憶手段３２に記憶する。
【００８９】
そして、所定のタイミングで、ユーザ情報記憶手段３２を参照し、例えば視聴回数の多少に基づきランキング情報（例えば、最も視聴されたＤＶＤのランキング、特定のＤＶＤにおいて最も検索された個別シーンやスキップされた個別シーンのランキングなど）を作成して、ユーザ端末装置２に送信する。再生ユニット２４は、Ｗｅｂブラウザ２３を介して、かかるランキング情報を受信すると、これをディスプレイに表示する。これにより、ユーザは、ＤＶＤの閲覧や購入を決定する際に、ランキング情報を参考にすることができる。
【００９０】
（変形例）
本発明は、上記実施形態に限定されることなく種々に変形して適用することが可能である。例えば、プログラム提供サーバ機能とデータベースサーバ機能とを物理的に異なる別サーバによって実現してもよい。
【００９１】
また例えば、ＤＶＤ等のメディアに記録された映像コンテンツに加えて／代えて、ストリーミングやダウンロード配信される映像コンテンツを対象としてメタデータの登録等を行う構成としてもよい。
【００９２】
また、メタデータ管理サーバ３において管理するユーザ履歴情報を、マーケティングに利用してもよい。例えば、視聴履歴や検索キーの入力履歴等からユーザの趣味や嗜好を分析・抽出し、ユーザプロファイル情報としてユーザ情報記憶手段３２に記憶しておく。そして、所定のタイミング（例えば、検索結果を提示するタイミング）で、ユーザプロファイル情報に応じたＤＶＤ等の情報をユーザに提示し、購入を勧めるといった利用方法を考えることができる。この場合、再生ユニット２４によって、そのようなＤＶＤを購入することができるオンラインショッピングサイトへのリンク情報を提示することが望ましい。
【００９３】
また、本システム１は、より多くのユーザがメタデータの登録を行うことでシステム全体の価値が高まることから、ユーザに対して本システム１を利用してメタデータを登録することへのインセンティブを与えることが重要となる。そこで、例えば、メタデータの登録やユーザ履歴情報の登録などに応じてユーザにポイントを付与し、かかるポイントを、プレゼント応募やオンラインショッピングの割引等に利用できるように構成する。これにより、ユーザはポイント獲得を目指して積極的にメタデータの登録等を行うようになるため、本システム１の価値を高めることができる。
【図面の簡単な説明】
【００９４】
【図１】情報処理システム１の概略構成を示すブロック図である。
【図２】ユーザ端末装置２の構成を示すブロック図である。
【図３】メタデータ管理サーバ３の構成を示すブロック図である。
【図４】メタデータ記憶手段３１におけるデータ構造例を説明するための図である。
【図５】本実施形態の枠組みを説明するためのフローチャートである。
【図６】本実施形態のＤＶＤ再生表示及びメタデータ登録／表示機能を説明するためのフローチャートである。
【図７】本実施形態の個別シーン検索機能を説明するためのフローチャートである。
【図８】本実施形態のパーソナルシーンリスト登録／表示機能を説明するためのフローチャートである。
【図９】本実施形態における各インタフェース画面の例を示す図である。
【符号の説明】
【００９５】
１  情報処理システム
２  ユーザ端末装置
３  メタデータ管理サーバ
２０  ＤＶＤ記録再生装置
２１  通信手段
２２  制御手段
２３  Ｗｅｂブラウザ
２４  映像コンテンツ再生／メタデータハンドルユニット２４
３０  再生ユニットプログラム記憶手段
３１  メタデータ記憶手段
３２  ユーザ情報記憶手段
３３  通信手段
３４  制御手段
１００  コンテンツ表示ウインドウ
１０１  メタデータ入力ウインドウ
１０２  メタデータ表示ウインドウ
１０３  検索キー入力ウインドウ
１０４  シーン特定情報表示ウインドウ
１０５  適否入力ウインドウ
１０６  シーン選択ウインドウ
１０７  リスト表示ウインドウ
【図１】
2007288279.tif 000003
【図２】
2007288279.tif 000004
【図３】
2007288279.tif 000005
【図４】
2007288279.tif 000006
【図５】
2007288279.tif 000007
【図６】
2007288279.tif 000008
【図７】
2007288279.tif 000009
【図８】
2007288279.tif 000010
【図９】
2007288279.tif 000011